(57)【要約】【課題】  幼児加温器に組み込まれるように、統合して取り付けられる処置光源であって、光線を集束させることができ、全方向に手動で移動可能な処置光源を提供する。【解決手段】  幼児加温器は幼児台上の幼児を支持する。本機器は、機器の通常の水平な頭上のハウジングに埋め込まれて幼児機器に統合される処置光を有する。処置光は、通常、幼児に対して光を導くように幼児の上又は中央の位置に設置される。取り付けることにより、処置光の全方向の移動が提供され、治療奉仕者が容易く接近できる遠心端を備えた下向きに延びる制御ハンドルによって、移動が容易に制御され得る。治療奉仕者が光線の強度を変更できるように、遠心端又はその近くに電気式コントローラが存在する。また、光線は簡単に集束され、治療奉仕者は所望の光ビームを幼児の興味のある部分に向けることができる。【選択図】          図２
2005125097.tif 000002
【特許請求の範囲】
【請求項１】
幼児加温器であって、
幼児が置かれるようになっている幼児台を有する基台と、
頭上のハウジングと、
一の光源を有する処置光源であって、全方向性の移動のために頭上のハウジング内に埋め込まれ、光源から幼児台に向けて光のビームを導くように配置されている前記処置光源と、
前記処置光源からの光のビームの方向を調整するために人に接近できるように処置光源から下向きに延びている制御ハンドルと、を備えている前記幼児加温器。
【請求項２】
前記処置光源は、上部光線ハウジング及び下部光線ハウジングを備え、
上部及び下部光線ハウジングは、ぴったりと一致し、互いに嵌合するように形成されており、
上部光線ハウジングは、頭上のハウジングに固定されており、
下部光線ハウジングは、前記幼児台の異なる方向に向けて光のビームを導くように調整できるように上部光線ハウジングに関して移動可能であることを特徴とする、請求項１に記載の幼児加温器。
【請求項３】
上部及び下部光線ハウジングは、下部光線ハウジングが実質的に上部光線ハウジングを包囲している状態で、どちらも切り詰めた球形の形態に形成されていることを特徴とする請求項１に記載の幼児加温器。
【請求項４】
処置光源はレンズをさらに含み、レンズは光源から幼児台に導かれる光のビームを集束するために光源に関して手動で移動可能であることを特徴とする請求項１に記載の幼児加温器。
【請求項５】
前記レンズはレンズホルダーに取り付けられており、前記レンズホルダーは前記下部光線ハウジングにネジの噛み合いによって付加されており、前記レンズホルダーは下部光線ハウジングに関してレンズを移動するようにネジの噛み合いによって回転できることを特徴とする請求項１に記載の幼児加温器。
【請求項６】
レンズホルダーは内面のネジ山を有し、下部光線ハウジングはそこから延びているフランジを有し、その間にネジの噛み合いを形成するために外面のネジ山を有することを特徴とする請求項５に記載の幼児加温器。
【請求項７】
処置光源は、処置光源からの光のビームの大きさを制御するために制御可能なアイリスを有することを特徴とする請求項１に記載の幼児加温器。
【請求項８】
頭上のハウジングは、幼児台に赤外線を導くために放射暖房器をさらに含むことを特徴とする請求項１に記載の幼児加温器。
【請求項９】
幼児機器は、処置光源に対するパワーを制御するために前記制御ハンドルに取り付けられる電気式コントローラを含むことを特徴とする請求項１に記載の幼児加温器。
【請求項１０】
処置光源は、幼児に光線療法を提供する所定の波長を有する光のビームを生成することを特徴とする請求項１に記載の幼児加温器。
【請求項１１】
処置光源は、特定色の光のビームを生成するためにフィルタを含むことを特徴とする請求項１に記載の幼児加温器。
【請求項１２】
幼児加温器であって、
幼児が置かれるようになっている幼児台を有する基台と、
頭上のハウジングと、
頭上のハウジング内に埋め込まれ移動可能な処置光源であって、幼児台に光のビームを導くように配置されている処置光源と、
遠心端を有する制御ハンドルであって、光のビームの方向を調整するために人に接近できるように処置光源から下向きに延びている制御ハンドルと、
処置光源に対する電力を制御するために前記制御ハンドルに配置される電気式コントローラと、を備えている前記幼児加温器。
【請求項１３】
制御ハンドルは、前記制御ハンドルの前記遠心端に位置していることを特徴とする請求項１２に記載の幼児加温器。
【請求項１４】
処置光源は、レンズを入れるレンズホルダーをさらに含み、レンズホルダーは、処置光源から幼児台に導かれる光のビームを集束するために下部ハウジングに関して手動で移動可能であることを特徴とする請求項１２に記載の幼児加温器。
【請求項１５】
処置光源は、処置光源から幼児台に導かれる光のビームの大きさを制御するためにさらに制御可能なアイリスを含むことを特徴とする請求項１２に記載の幼児加温器。
【請求項１６】
幼児加温器の幼児台に対して光のビームを導く方法であって、
頭上のハウジングを有する幼児加温器を提供する段階と、
処置光源から下向きに延びている制御ハンドルと共に頭上のハウジング内に埋め込まれて統合される位置において全方向に動くために取り付けられる処置光源であって、光のビームを放射している前記処置光源を提供する段階と、
幼児台の所望の位置に光線を導くために制御ハンドルを手動で操作することによって処置光源から照射している光のビームの方向を制御する段階と、を備えている方法。
【請求項１７】
処置光源を提供する段階は、可変レンズを有する処置光源を提供する段階を含み、さらに、処置光源からの光のビームを集束するためにレンズを手動で調整する段階を含むことを特徴とする請求項１６に記載の方法。
【請求項１８】
処置光源を提供する段階は、制御ハンドル上に配置される電気式コントローラを有する処置光源を提供する段階を含むことを特徴とする請求項１６に記載の方法。
【請求項１９】
処置光源を提供する段階は、そこから放射する光のビームの大きさを変更するために制御可能なアイリスを有する処置光源を提供することを備えることを特徴とする請求項１６に記載の方法。
【請求項２０】
処置光源を提供する段階は、そこから放射する光のビームが幼児に光線療法を提供するために所定の波長である処置光源を提供することを備えることを特徴とする請求項１６に記載の方法。
【発明の詳細な説明】
【技術分野】
【０００１】
本発明は、幼児加温器に関し、より詳細には、幼児保護機器に結合される検査／処置光源源に関する。
【背景技術】
【０００２】
新生児の保護において、幼児加温器は、幼児を暖めることを提供し、幼児を所定の温度に保つのに必要な暖気を供給するのに用いられる。幼児加温器は、基本的には、幼児が置かれる平坦な面を備えており、平坦な面は、通常、機器の範囲内で幼児の安全を保つように側面保護手段を含んでいる。
【０００３】
【特許文献１】米国特許第５，４７４，５１７号
【０００４】
また、幼児加温器は、通常、幼児の上に位置し、所望の温度に幼児を保つために幼児に当たるように赤外スペクトルのエネルギーを放射する、頭上の放射暖房器を有する。幼児加温器があれば、幼児が全体として他の状態で周囲にさらされている時、担当医師は幼児への接近をほとんど制限されず、幼児に様々な処置を実現する。典型的な幼児加温器は、フォーク氏の特許文献１においてその特許に対する従来技術として示され説明されている。
【０００５】
幼児に接近することを前記のように広く解放するので、幼児加温器は、通常、平坦な面で休息している間に幼児の上で実行されることになる介入又は処置が幾つかある場合に用いられる。前記処置が扱いにくい全ての場合ではなく、一定の場合には、担当医師が幼児を全体的に見るのに十分な光、すなわち処置を実行する際に幼児の置かれた部分に光を集結するのに十分な光を有し得るように、一定の幼児への照明光源を有することが通常必要である。
【０００６】
従って、幼児加温器があれば、一般には、幼児加温器と共に分離独立して提供される処置光源が存在するが、それは独立型の光線であるとして設定されているか又は幼児加温器付属として一定の手法で幼児加温器に加えられているかのいずれかである。また、前記幼児は、移動し得るように乗せられており、光ビームは、光線が必要とされる場合に幼児の特定の位置に移動され得る。
【０００７】
【特許文献２】米国特許第６，４１３，２０５号
【０００８】
代替的に、フィニーの特許文献２に幼児加温器の頭上のハウジングに取り付けられている光源が開示されているが、フィニー特許の光源は、光線を特定の位置に移動する明確な手段を有しない固定光源であり、また、フィニー特許の光源が広範なビームと小さく集束されたビームの間で集束される場合の手段が開示されていない。
【０００９】
従って、処置光源が中央に位置し、幼児加温器に組み込まれ、また、ユーザが光線を広げたり狭めたりできるように集束可能であるだけでなくユーザによって全方向に手動で移動できるように、処置光源を統合して取り付けることを有することは有利である。
【発明の開示】
【課題を解決するための手段】
【００１０】
従って、本発明は、製造される際に通常は幼児加温器の一部である頭上のハウジングに統合される処置光源を有する幼児加温器に関する。それゆえ、幼児加温器の頭上に存在するハウジングと一緒に取り替えられる付属の処置光源、すなわち固定され組み込まれた光源を提供するよりもむしろ、処置光源の統合のための基台又は支持構造としてその上部ハウジングを実際に用いることによって、既存する幼児機器の頭上のハウジングが実際には利用される。
【００１１】
従って、処置光源は、幼児加温器の中央の位置に適切に配置されており、人々によってアクセスが容易な位置であるように下向きに延びている制御ハンドルを有しており、光源は、ビームを所望の位置に導くように手動で移動され得る。従って、ジンバルを備えた取り付け機構のような全方向に移動できる取り付けシステムによって、又は、球形のハウジングを部分的に覆うことによって、処置光源は、全方向に、すなわち照明が望まれる場合には治療奉仕者がビームを幼児の特定部分に向けるように任意方向に、手動で移動され得る。
【００１２】
また、処置光源は、集束手段を有しており、それによって処置光源は広範なビーム又は狭いビームを幼児の特定部分に集束するように向けることができる。また、処置光源は、処置光源から放射されるビームの幅を広げたり狭めたりするのに用いられる可変のアイリスを有し、加えて、処置光源は、幼児加温器のシャーシに位置し、すなわち実際には処置光源の制御ハンドルに取り込まれ、電気式コントローラを有し、処置光源は、治療奉仕者の必要に応じてその強度を変更することができる。
【００１３】
付加的な特徴又は代替的な実施例として、処置光源は、ビリルビン血の軽減のために、特定波長のバルブ又は所望の波長を提供するフィルタを有するバルブを利用することによって光線療法として光源を作用させるようになっている。また、ユーザが幼児を照射するように特定の所望の色の光を利用することができるように、前記機器に付加される色フィルタが用いられ得る。
【００１４】
これら及び他の本発明に係る特徴及び利点は、図面に関連してなされる以下の詳細説明において容易く明らかになるであろう。
【発明を実施するための最良の形態】
【００１５】
ここで、図１を参照すると、本発明に従って構成される幼児加温器８の透視図が示されている。示されているように、幼児加温器８は、独立型ユニットを幼児加温器８に提供するフレーム１０を含んでいる。幼児加温器８が容易に移動できるように、フレーム１０は、車輪１６を有する基台１４上に順番に取り付けられているキャビネット１２の上に支持されている。また、キャビネット１２は、幼児を監視するアイテムを入れるための１つ又は複数の引き出し１８を含み得る。
【００１６】
幼児台２０は、キャビネットの上に取り付けられており、その上に幼児ベッド２２が配置され、幼児が置かれる基台となり、その上に幼児を支持する。幼児台２０は、幼児ベッド２２に対するメイン支持具である。幼児ベッド２２は、幼児の快適さのために適切な緩衝材料を備えた一般に平坦な上面２４を有しており、さらに、一般的に、透明のプラスチック材料であるガード２６によって取り囲まれており、上面２４に幼児を入れる。通常、ガード２６は、幼児に完全に近づくために除去可能かつ／又は解放可能である。
【００１７】
フレーム１０は、上部及び下部に横切る部材２８及び３０をそれぞれ含んでおり、一組の垂直支柱３２を合体し、垂直支柱３２は、棚板３４のような他の構造上の要素に対する支持手段を提供する。
【００１８】
制御モジュール３５は、垂直支柱３２の中間に適切に配置され、幼児加温器１０の動作機能に対する様々な制御を含むばかりでなく様々な監視パラメータの表示を含み、上部の交差した部材２８に取り付けられる。加えて、頭上のハウジング３６は、上部に横切る部材２８に取り付けられ、幼児に暖気を提供するために幼児ベッド２２に横たわっている幼児に対して赤外線エネルギーを伝える放射暖房器３７を含んでいる。
【００１９】
また、図１に示されるように、頭上のハウジング３６に埋め込まれて完全に取り付けられる処置光源３８は、本発明に従って構成され、頭上のハウジング３６に付加され、治療奉仕者に届く範囲内に存在し後述される手法で処置光源３８の位置を操作するために処置光源３８から下向きに延びている制御ハンドル４０を有している。
【００２０】
ここで、図２に移ると、本発明に用いられる個々の要素を示している、本発明に係る処置光源３８の分解組立図が示されている。従って、図２では、光源バルブ４４を含んでいる光源バルブ筐体４２を参照することができ、すなわち勿論その中で動作するために供給電力源に接続されるようになっており、光源バルブ筐体４２の内面は、通常、反射材料で覆われている。望ましい実施例では、光源バルブ４４及び光源バルブ筐体４２は、頭上のハウジング３６に関して固定位置に存在するように共に頭上のハウジング３６に付加されている（図１）。
【００２１】
示されているように、代替的な実施例において、バルブは、ビリルビン血を特に緩和するのに適合した所望の波長を有するように選定され、すなわちバルブは、内蔵の処置光源３８が幼児に対して光線療法に用いられるように所望の波長を生成するフィルタと共に用いられ得る。さらなる代替として、光源の特定色がユーザに望まれるように処置光源から放射するように光源バルブ４４又は光源バルブ筐体４２に加えられるフィルタが存在し得る。
【００２２】
また、光源バルブ４４及び光源バルブ筐体４２と同軸に配置される開口部４８を有する上部ハウジング４６が、配置される。上部ハウジング４６の形状は、望ましくは、切り詰めた球形の構造であり、その特定形状の目的は明らかである。
【００２３】
また、下部ハウジング５０が与えられるが、望ましくは、また切り詰めた球形状であり、上部ハウジング４６の球形構造の半径よりも僅かに大きな半径を有している。また、下部ハウジング５０は、上部ハウジング４６の開口部４８を備えたアラインメントである開口部５２を有しており、処置光源３８の組立において、下部ハウジング５０は、密接嵌合する関係で上部ハウジング４６を取り囲み、下部ハウジング５０は、上部ハウジング４６に加えられるが、全方向に上部ハウジング４６について自由に移動でき、すなわち、下部ハウジング５０は上部半ジング４６に関して任意方向に移動でき、移動は任意の有限又は限定された数の方向に拘束されない。
【００２４】
代替的に、処置光源３８の全方向性移動を提供する他の手段が、ジンバル装置のような頭上のハウジング３６に処置光源３８を加える際に用いられ得る。
【００２５】
また、下部ハウジング５０から外側に延びる円筒形フランジ部５４があり、その円形フランジ５４はその上に形成された外部ネジ山５６を有する。
【００２６】
レンズ６０を保持するレンズホルダー５８は、内部ネジ山６２が整合するようにこの中に形成された内部ネジ山６２を有しており、円筒形フランジ５４に形成された外部ネジ山５６と噛み合う。レンズ６０は、標準の凹／凸レンズであり、光源バルブ４４によって放射された光線を集束し、光線は開口部４８を通過し、その後、幼児が置かれている幼児ベッド２２（図１）に向けて誘導されるようにレンズ６０に進行する。
【００２７】
従って、ここで明らかなように、レンズホルダー５８は、下部ハウジング５０に対してレンズホルダー５８を移動させるために回転され、レンズホルダー５８の回転は、処置光源３８から幼児ベッド２２（図１）に放射している光線を集束し、治療奉仕者が望むように光線を集束できるように、光源バルブ４４に向かって及び光源バルブ４４から離れる方向へレンズ６０を移動させる。
【００２８】
また、図２において、レンズホルダー５８から端部６４に外側に伸びる制御ハンドル４０を参照できる。望ましい実施例において、前記端部６４に又はそのすぐ近くに、光源バルブ４４に対する電力を制御するのに用いられる電気式コントローラ６６がある。電気式コントローラ６６は、単純なオン−オフスイッチであるか、又は光源バルブ４４に対する電力の可変制御を提供し、治療奉仕者の希望に応じて光源バルブ４４からの光線強度を変化させ得るように精巧な電力制御であり得る。勿論、代替的に、光源コントローラは、制御モジュール３５（図１）に位置するか又は治療奉仕者のために他の一定の適切な位置に存在する。
【００２９】
与えられる処置光源３８のさらなる要素として、任意であるが、レンズホルダー５８に付加されている、又はレンズホルダー５８に対する拡張として付加られ得る、制御可能なアイリス６８が存在し、処置光源３８から放射される光線がその直径に関して制御され、すなわち、治療奉仕者は光線の幅を限定し、所望の位置に幼児にビームを位置決めできる。それゆえ、制御可能なアイリス６８の手動の制御によって、治療奉仕者は、光源バルブ４４に関してレンズ６０の移動によって提供される、集束させる特徴部に加えて光のビームに対する追加制御部を有する。
【００３０】
ここで、図３に移ると、本処置光源３８の概略図が、それが位置する頭上のハウジング３６（図１）から切り離して示されており、そこから放射される光のビームの多様性を例示する。例えば、制御ハンドル４０の単純な手動の移動によって、処置光源３８から放射される光のビームが、幼児ベッド２２（図１）の位置７０のいずれかに移動され、処置光源３８の全方向性の動きは、容易かつ直接に前記位置７０のいずれかに移動し得ることになる。
【００３１】
また加えて、図３に示されるように、幼児ベッド２２の光ビームの直径は、光源バルブ（図２）に向かって又は光源バルブから遠くに移動しているレンズ６０（図２）の動作に応じて集束され、幼児ベッド２２に衝突する光のビームの直径は、制御可能なアイリス６８の動作によって広けられるか又は狭められる。任意の場合において、方向、集束及び光ビームの直径は、幼児のある部分の集束される照明を有したときに治療奉仕者の意図する特定の希望に応じて容易に変更され、すなわち、幼児全体を包囲するように容易に大きく広がり、一方で、処置光源３８それ自体は、幼児加温器８の通常の頭上のハウジング３６（図１）に埋め込まれている。
【００３２】
集束させる特徴は、図１及び２に加えて図４Ａ及び４Ｂに示されており、処置光源３８が、幼児加温器８の頭上のハウジング３６に埋め込まれることが理解され、レンズホルダー５８と下部ハウジング５０の間のネジ噛み合いの手段によって光ビームを集束することによって、光のビームは、光が所望のものである場合に幼児台２０の上で幼児の特定部分に対して集束され、また、図４Ａに示されるように、光のビームの直径は、相対的に小さいスポット７２の形態であり、図４Ｂでは、光のビームは相対的に大きなスポット７４の形態であって、その直径は制御可能なアイリス６８の操作によって治療奉仕者によって調整され得る。
【００３３】
最後に、図５に移ると、本発明と共に用いられ得る電気式コントローラ６６の概略図が示されている。図５には、電気式コントローラ自体に加えられる回転可能なノブ７６であって、“ＯＦＦ”の位置７８を有する加減抵抗器又は固体デバイスである回転可能なノブ７６が存在し、この場合、回転可能なノブ７６は表面プレート上に提供されるか、又は回転可能なノブ７６のすぐ近くの転写紙に提供される指示（indicia）８０に応じて回転できるので、回転可能なノブ７６は光源バルブ４４（図２）に対する電力を増加できる。
【００３４】
上記のように、電気式コントローラ６６は、示されているように、望ましい実施例において適切な位置における制御を有する際に治療奉仕者の利便性のために制御ハンドル４０（図２）の端部６４に位置しており、すなわち、代替的にかつより一般的には、電気式コントローラ６６は、治療奉仕者が容易に届く範囲内である制御モジュール３５（図１）に位置し得る。
【００３５】
当業者は、本発明の幼児保護機器に対してなされ得る容易に多くの適応及び変更を認識し、結果として、幼児保護機器のための改善された処置光源に帰着するであろうが、その全ては、請求項で画定される本発明の範囲及び意図の範囲内に属する。従って、本発明は請求項及びそれらと均等なものによってのみ限定されることになる。
【図面の簡単な説明】
【００３６】
【図１】本発明に従って統合された処置光源を有する幼児加温器の透視図である。
【図２】本発明の処置光源の分解組立図である。
【図３】光線を幼児の台に提供する際のその利用を示している本発明に係る処置光源の概略図である。
【図４Ａ】本発明に係る処置光源のさらなる利用を示している概略図である。
【図４Ｂ】本発明に係る処置光源のさらなる利用を示している概略図である。
【図５】本発明と共に用いられ得るコントローラの概略図である。
【図１】
2005125097.tif 000003
【図２】
2005125097.tif 000004
【図３】
2005125097.tif 000005
【図４Ａ】
2005125097.tif 000006
【図４Ｂ】
2005125097.tif 000007
【図５】
2005125097.tif 000008